(57)【要約】  １対のピボットを中心に回転するアーム１２、１３を有する計測デバイス１０が提供され、ピボットから離れた回転アームの端部は、関連するテープ２０を有する。テープ２０は、一方のアーム１２に固定され、他方のアーム１３の内部を通って延在して、ハウジング部品内に配置された付勢されたリール上に巻かれ、このリールは、テープ２０のいかなる弛みも取り除く。
2014527159.tif 000002
【特許請求の範囲】
【請求項１】
物品を計測するための装置であって、１対のアームと、柔軟な細長い計測要素とを有する装置において、
前記１対のアームはピボットを中心にして互いに対して可動であり、また各アームが、前記ピボットから離れた端部を有しており、
前記計測要素は前記アームの前記端部に関連付けられており、したがって前記計測要素は、一方のアームの前記端部に関して固定された一方の末端を有し、且つ他方のアームの前記端部に設けられたガイドに対して移動することができ、また前記計測要素の他方の末端が、前記計測要素のいかなる弛みも取り除くように付勢されたリールに固着されている
物品を計測するための装置。
【請求項２】
前記アームの他方の端部がそれぞれ、それぞれの協働ハウジング部品に取り付けられており、前記ハウジング部品は、互いに対して回転可能であり、且つ前記ピボットを包含しており、前記リールは前記ピボットと同軸であり、且つ両方のハウジング部品に対して回転自在である、請求項１に記載の装置。
【請求項３】
前記他方のアームは、前記計測要素が中を移動可能な内部通路を有し、前記内部通路は、前記ピボットから離れた前記他方のアームの自由端部において開口して前記ガイドを構成し、且つ前記他方のアームの前記ピボット側端部で前記リールに通じている、請求項２に記載の装置。
【請求項４】
前記２つのアームは概ねＬ字形であり、且つ反対方向を向いており、また前記ピボットから離れた前記２つの端部が互いに当接してい、請求項３に記載の装置。
【請求項５】
前記ピボットから離れた各アームの前記端部が、内方に向かって先細になっている、請求項４に記載の装置。
【請求項６】
前記計測要素がテープの形態である、請求項１から５までのいずれか一項に記載の装置。
【請求項７】
付勢手段が前記２つのアームの前記端部を互いに対して付勢する、請求項１から６までのいずれか一項に記載の装置。
【請求項８】
前記２つのアームのための前記付勢手段が前記リールも付勢する、請求項７に記載の装置。
【請求項９】
前記付勢手段又は各付勢手段が時計ばねを含む、請求項７又は８に記載の装置。
【請求項１０】
前記リールは、計測が行われるときに前記計測要素をロックするための保持機構を含む、請求項１から９までのいずれか一項に記載の装置。
【請求項１１】
前記リールは、前記２つのアームの前記端部が離されて前記物品が計測されているときに前記ガイドに対して繰り出された計測要素の長さを計測するためのデジタル計測デバイスを包含し、前記デジタル計測デバイスは、前記繰り出された計測要素の長さを示すための表示部を有している、請求項１から１０までのいずれか一項に記載の装置。
【請求項１２】
前記デジタル計測デバイスが、前記アームの前記自由端部間の直線距離を算出するために前記アームの角変位も計測し、この直線距離は、前記表示部上に表示可能である、請求項１１に記載の装置。
【請求項１３】
前記デジタル計測デバイスは、前記繰り出された計測要素の長さに前記直線距離を足して合計周囲長計測値を提供すること、及びこれを前記表示部上に示すことが可能である、請求項１２に記載の装置。
【発明の詳細な説明】
【技術分野】
【０００１】
本発明は、物品を計測するための装置に関し、詳細には、限定されるものではないが、物品の周囲長又は部分周囲長を計測するための装置に関する。本装置は、履物の正確なフィッティングのための足の周囲長の計測において特に使用される。
【発明の概要】
【課題を解決するための手段】
【０００２】
本発明によれば、物品を計測するための装置が提供され、この装置は、ピボットを中心にして互いに対して可動な１対のアームであって、それぞれがピボットから離れた端部を有する１対のアームと、アームの端部に関連付けられた柔軟な細長い計測要素とを含み、計測要素は、一方のアームの端部に関して固定された一方の末端を有し、且つ他方のアームの端部に設けられたガイドに対して移動することができるようにアームの端部に関連付けられており、計測要素の他方の末端は、計測要素のいかなる弛みも取り除くように付勢されたリールに固着されている。
【０００３】
好ましくは、各アームの他方の端部はそれぞれ、それぞれの協働ハウジング部品に取り付けられ、ハウジング部品は互いに対して回転可能であり、且つピボットを包含しており、またリールはピボットと同軸であり、且つ両方のハウジング部品に対して回転自在である。
【０００４】
好ましい構成では、前述の他方のアームは、計測要素が中を移動可能な内部通路を有し、この通路は、ピボットから離れた前述の他方のアームの自由端部において開口して前述のガイドを構成し、アームのピボット側端部において前述のリールに通じている。
【０００５】
好都合なことには、２つのアームは概ねＬ字形であり、且つ反対方向を向き、ピボットから離れた２つの端部は互いに当接し、またピボットから離れた各アームの端部は、内方に向かって先細になっている。
【０００６】
通常、計測要素はテープの形態である。
【０００７】
好ましい特徴は、付勢手段が２つのアームの端部を互いに対して付勢すること、及び通常は２つのアームのための付勢手段が、リールも付勢することである。付勢作用には時計ばねを利用することができる。
【０００８】
有益な特徴として、リールは、計測が行われるときに計測要素をロックするための保持機構を含むことができる。
【０００９】
好ましい実施例では、リールは、２つのアームの各端部が離されて前述の物品が計測されているときに前述のガイドに対して繰り出された計測要素の長さを計測するためのデジタル計測デバイスを包含し、このデジタル計測デバイスは、繰り出された計測要素の長さを示すための表示部を有する。
【００１０】
さらなる好ましい構成では、デジタル計測デバイスは、アームの自由端部間の直線距離を算出するためにアームの角変位も計測し、この直線距離は表示部上に表示可能である。
【００１１】
次に、本発明の各実施例をより詳細に説明する。説明は、添付の図面を参照する。
【図面の簡単な説明】
【００１２】
【図１】本発明による計測デバイスの斜視図である。
【図２】足の周囲長を計測するために使用されようとしている、図１の計測デバイスの斜視図である。
【図３】足に対して所定の位置にある、図１の計測デバイスの斜視図である。
【図４】計測が行われているところを示す、図１の計測デバイスの斜視図である。
【図５ａ】使用されていない図１の計測デバイスの縦断面図である。
【図５ｂ】足の計測に使用されている図１の計測デバイスの縦断面図である。
【発明を実施するための形態】
【００１３】
各図面では、足１１の周囲長を計測するのに特に役立つ計測デバイス１０が示されているが、このデバイス１０は、他の物体の周囲長又は部分周囲長を計測するために使用することができ、また、直線距離を計測するためにも使用することができる。履物のための周囲長を計測する場合、人物は通常、床面に立ち、周囲長計測は、足の一方の側の床面に接触するところから足の上部を越えて、足の他方の側の床面に接触するところまでで行われる。このことは、図５でより明瞭に示されている。
【００１４】
デバイス１０は、１対のアーム１２、１３を有する。一方のアーム１２は、後部ハウジング部品１４に取り付けられ、他方のアーム１３は、前部ハウジング部品１５に取り付けられる。２つのハウジング部品１４、１５は、中心ピボット１６を中心にして互いに対して相対的に回転可能となるように連結される。２つのアームが互いに対して相対的に枢動することができるのであれば、他のハウジング構成も使用可能である。
【００１５】
例示された構成では、２つのアーム１２、１３は、概してＬ字形であるが、２つのアーム間に空間１７を置くように向かい合わせで配置され、この空間１７は、特定の物品の周囲長を計測する際に役立つことができる。各Ｌ字形アーム１２、１３の「直立」部分１８は通常、各Ｌ字形アーム１２、１３の「下方」部分１９が床面に対してある程度角度を付けられるように、ピボット１６に位置合わせされる。理想的には、２つのアーム１２、１３は、時計ばね（図示せず）などの適切な付勢手段により互いに向かって付勢され、その結果、「休止」位置にあるときには、下方部分１９の自由端部は、図１及び図５ａに示されるように当接する。当然ながら、デバイス１０の最終用途にある程度応じて、他のアーム形状も使用可能である。
【００１６】
計測デバイス１０は、柔軟な細長い計測要素２０を含み、この計測要素２０は、例示された実施例では或る長さのテープの形態であるが、ひもなどの他の形態を取ることもできる。テープ２０の一方の末端２１は、前述の一方のアーム１２に対して固定され、また、例示された実施例では、テープ２０は内部通路２２に沿って延在し、また、末端２１は、Ｌ字形の２つの部分１８、１９が交わるところである、アーム１２の中空セクション２３の内部に保持される。
【００１７】
テープ２０はまた、他方のアーム１３内の別の内部通路２４を通過して、アーム１３の全長をわたってハウジング１４、１５まで延在し、そこでテープ２０は、位置２６においてリール２５に取り付けられる。リール２５は、ピボット１６上に回転可能に設置され、テープ２０のいかなる弛みも取り除くように、例えば戻しばね（図示せず）などの付勢手段により、反時計方向に付勢される。前部ハウジング部品１５はまた、アーム１３とリール２５との間のテープ１２の円滑な流れを促進するために、内部ガイド面２７を包含する。
【００１８】
２つのアーム１２、１３の自由端部は、概ね尖るように先細にされ、また、他方のアーム１３の自由末端部２８は、使用中のテープ２０の動作のための簡易なガイドを構成する。所望されるならば、より複雑なガイドが考案されてもよい。２つのアーム１２、１３の自由端部の尖った形状により、休止時にアームが密接することが可能になり、また、床面又は他の支持表面との接触点上に張り出しやすい足の下方に位置決めされる場合などの、使用中の狭い空間へのアクセスが可能になる。アーム１２、１３の自由末端部は、計測基準点を構成する。
【００１９】
ハウジング部品１４、１５はまた、デジタル計測装置３０を収容する。デジタル計測装置は知られたものであるが、本発明の用途に適合されている。一例として、ある形態のデジタル計測装置３０は、前部ハウジング部品１５に関連付けられたデジタル目盛３１、及び前述の一方のアーム１２に関連付けられたアクチュエータ３２を備える。２つのアーム１２、１３が互いに対して回転されると、すなわち、図２に示されるように広げられると、リール２５が付勢力に逆らって前部ハウジング部品１５に対して時計回りに回転するにつれてテープ２０が繰り出され、テープ２０は、２つのアーム１２、１３の自由端部間で概ね真っ直ぐに延在する。２つのアーム１２、１３が互いに対して動くことにより、アクチュエータ３２がデジタル目盛３１の周りを移動することになる。各アームの自由端部間の直線距離は、デジタル目盛３１に沿ったアクチュエータ３２の運動の単純関数であり、デジタル目盛３１は、単純な長さ出力を与えるように定められている。閉位置に対する２つのアームの角度分離Ｘと、アーム端部からピボット軸までの既知の距離とを組み合わせることにより、この直線距離を単純なソフトウェアを使用して算出することが可能になる。
【００２０】
デバイスが図５ｂの足１１のような立体物体の周囲に置かれると、より多くのテープ２０がドラム２５によって繰り出されて、足の輪郭をたどる。計測基準点を構成する２つのアーム１２、１３の自由端部は、図５に示されるように、足１１の側面の張り出しの下方の、それらの正しい位置へと移動される。アーム１２、１３の２つの自由端部間のテープ２０の長さは、求められる「足にわたる」周囲長計測値であり、各アームの自由端部間の直線距離は、足幅として知られる。
【００２１】
リール２５が付勢作用に逆らって時計方向に回転することにより、テープ２０のいかなる不要な弛みも取り除かれて、正確な計測が保証される。リール２５の回転Ｙにより、供給されたテープ２０の総量の計測値が与えられ、この量は、床面から床面までの足の上部をわたる距離の計測値となる。この場合にも、既知のリール寸法と合わせたデジタル計測装置３０のキャリブレーションは、２つの計測基準点間のテープ２０の全長に対して出力が提供されるようになされる。
【００２２】
さらに、デジタル計測装置３０のソフトウェアは、足幅、即ちアームの端部間の直線距離（アームの相対角変位によって計測される）と「足にわたる」計測値（リールにより供給されたテープ２０の量によって計測される）とを足すことにより、合計周囲長又は周囲計測値を提供することが好ましい。「体重がかかった」状態でのこの合計周囲長計測値は、他の計測値と相まって、改善されたシュー・フィッティングのための足の幅／周囲長の確かな指標をもたらす。
【００２３】
デジタル計測装置３０は、本発明の範囲内で他の方法も使用可能であるが、好ましい構成では以下の形態を取ることができる。放射状に延在した一連の抵抗電気接触子が、テープ・リール２５の側部上に配置され、これらの接触子は、静的ＰＣＢ（プリント回路基板：Ｐｒｉｎｔｅｄ  Ｃｉｒｃｕｉｔ  Ｂｏａｒｄ）上に配置された接触子の円形アレイに橋絡する。アーム１２、１３が閉じていると、接触子はゼロの読み取り値を提供するが、アームが開かれてテープ２０が供給されるにつれて、リールの接触子とＰＣＢの接触子との相対運動により、リールの回転につれて供給されたテープの長さの値が伝えられる。
【００２４】
デバイス１０はまた、繰り出されたテープ２０の全長を表示する表示画面４０、及び「保持」ボタン４１を包含する。保持ボタン４１は、アーム１２、１３がそれぞれの正しい計測位置にあるときに押される。ボタン４１は、ハウジング１４、１５に対するリール２５の運動を効果的にロックし、その結果、アームが正しく位置決めされたときに、画面４０上に表示された全長を固定することができる。このことは、子供などの動きがちな人物の足の場合に有益なものとなりうる。リール２５のロック作用は、リールに係合して回転を防止するボタンなどの、単純な手段によるものとすることができる。
【００２５】
本計測デバイスの的確な設計は、特許請求の範囲に記載の範囲内に留まると同時に、修正を受け入れる。その最も単純な形態では、テープ２０は、その上に印刷された計測値を有することができ、また、デジタル計測装置３０は、省略することができる。
【図１】
2014527159.tif 000003
【図２】
2014527159.tif 000004
【図３】
2014527159.tif 000005
【図４】
2014527159.tif 000006
【図５ａ】
2014527159.tif 000007
【図５ｂ】
2014527159.tif 000008
【国際調査報告】
2014527159.tif 000009
2014527159.tif 000010
2014527159.tif 000011